【手続補正書】
【提出日】平成19年5月7日(2007.5.7)
【手続補正１】
【補正対象書類名】明細書
【補正対象項目名】特許請求の範囲
【補正方法】変更
【補正の内容】
【特許請求の範囲】
【請求項１】 移動トロリと停止トロリとの間の衝突によって前記移動トロリがプッシャドッグから開放する際に発生する騒音低減方法であって、
前記移動及び停止トロリの少なくとも一つの部品の少なくとも一つの範囲に騒音低減材料を取り付けるステップを含み、前記部品はバンパーではない騒音低減方法。
【請求項２】  移動トロリと停止トロリとの間の衝突によって前記移動トロリがプッシャドッグから開放する際に発生する騒音低減方法であって、
前記移動及び停止トロリの少なくとも一つの部品の少なくとも一つの範囲に騒音低減材料を取り付けるステップを含み、
前記移動及び停止トロリの少なくとも一つの部品の少なくとも一つの範囲に騒音低減材料を取り付けるステップは、前記移動トロリのカムレバーの範囲に騒音低減材料を取り付けるステップを含む騒音低減方法。
【請求項３】 前記カムレバーの前記一つの範囲は、前記移動トロリの本体と接触する一つの範囲を含む、請求項２に記載の騒音低減方法。
【請求項４】 前記カムレバーの前記一つの範囲は、前記停止トロリの集積カムと接触する一つの範囲を含む、請求項２に記載の騒音低減方法。
【請求項５】 前記カムレバーの前記一つの範囲は、前記移動トロリの後退ドッグと接触する一つの範囲を含む、請求項２に記載の騒音低減方法。
【請求項６】  移動トロリと停止トロリとの間の衝突によって前記移動トロリがプッシャドッグから開放する際に発生する騒音低減方法であって、
前記移動及び停止トロリの少なくとも一つの部品の一つの範囲に騒音低減材料を取り付けるステップを含み、
前記移動及び停止トロリの少なくとも一つの部品の一つの範囲に騒音低減材料を取り付けるステップは、前記移動トロリの後退ドッグの範囲に騒音低減材料を取り付けるステップを含む方法。
【請求項７】 前記後退ドッグの前記一つの範囲は、前記移動トロリの本体と接触する一つの範囲を含む、請求項６に記載の騒音低減方法。
【請求項８】 前記後退ドッグの前記一つの範囲は、前記移動トロリのカムレバーと接触する一つの範囲を含む、請求項６記載の騒音低減方法。
【請求項９】 前記後退ドッグの一つの範囲は、前記プッシャドッグと接触する一つの範囲を含む、請求項６記載の騒音低減方法。
【請求項１０】  移動トロリと停止トロリとの間の衝突によって前記移動トロリがプッシャドッグから開放する際に発生する騒音低減方法であって、
前記移動及び停止トロリの少なくとも一つの部品の一つの範囲に騒音低減材料を取り付けるステップを含み、
前記移動及び停止トロリの少なくとも一つの部品の一つの範囲に騒音低減材料を取り付けるステップは、前記停止トロリの集積カムの一つの範囲に前記騒音低減材料を取り付けるステップを含む騒音低減方法。
【請求項１１】  移動トロリと停止トロリとの間の衝突によって前記移動トロリがプッシャドッグから開放する際に発生する騒音低減方法であって、
前記移動及び停止トロリの少なくとも一つの部品の一つの範囲に騒音低減材料を取り付けるステップを含み、
前記移動及び停止トロリの少なくとも一つの部品の一つの範囲に騒音低減材料を取り付けるステップは、前記移動トロリのカムレバーと接触する前記移動トロリの本体に前記騒音低減材料を取り付けるステップを含む騒音低減方法。
【請求項１２】移動トロリと停止トロリとの間の衝突によって前記移動トロリがプッシャドッグから開放する際に発生する騒音低減方法であって、
前記移動及び停止トロリの少なくとも一つの部品の一つの範囲に騒音低減材料を取り付けるステップを含み、
前記移動及び停止トロリの少なくとも一つの部品の一つの範囲に騒音低減材料を取り付けるステップは、前記移動トロリの後退ドッグと接触する前記移動トロリの本体に前記騒音低減材料を取り付けるステップを含む騒音低減方法。
【請求項１３】 前記範囲は一つの直接接触範囲を含む請求項１に記載の騒音低減方法。
【請求項１４】  移動トロリと停止トロリとの間の衝突によって前記移動トロリがプッシャドッグから開放する際に発生する騒音低減方法であって、
前記移動及び停止トロリの少なくとも一つの部品の一つの範囲に騒音低減材料を取り付けるステップを含み、前記範囲は一つの摺動接触範囲を含む騒音低減方法。
【請求項１５】 前記範囲は一つの非接触範囲を含む請求項１記載の騒音低減方法。
【請求項１６】 前記騒音低減材料の取付けるステップは、前記騒音低減材料をコーティングするステップを含む請求項１記載の騒音低減方法。
【請求項１７】 前記騒音低減材料の取付けるステップは、前記騒音低減材料をある形状に成形して、前記形状を少なくとも一つの範囲に取り付けるステップを含む請求項１記載の騒音低減方法。
【請求項１８】 前記一つの非接触範囲は空洞を含み、前記少なくとも一つの非接触範囲への前記騒音低減材料の取付けるステップは、前記空洞に前記騒音低減材料を充填するステップを含む請求項１５に記載の騒音低減方法。
【請求項１９】 前記騒音低減材料はポリウレタンである請求項１記載の騒音低減方法。
【請求項２０】 前記ポリウレタン騒音低減材料は、約６０から９０の間のデュロメータを有する請求項１９に記載の騒音低減方法。
【請求項２１】 トラックで移動するための少なくとも一つのホイールを有するトロリ本体と、
一つの範囲を有し、騒音低減のために前記範囲に騒音低減材料を取り付けられ、前記トロリ本体と協働する一つの部品とを備え、前期部品はバンパーではないトロリ。
【請求項２２】  トラックで移動するための少なくとも一つのホイールを有するトロリ本体と、  一つの範囲を有し、騒音低減のために前記範囲に騒音低減材料を取り付けられる、前記トロリ本体と協働する一つの部品とを有し、前記トロリ本体と協働する少なくとも一つの部品とを備え
前記部品は、前記トロリ本体に、第一及び第二位置間で移動し得るように旋回自在に取り付けられたカムレバーと、前記カムレバーによって移動可能な後退ドッグと、
前記トロリ本体と協働する集積カムとを備え、
前記カムレバーと後退ドッグと前記集積カムのうち少なくとも一つは、少なくとも一つ範囲と、騒音低減のために前記範囲に取り付けられた騒音低減材料とを有するトロリ。
【請求項２３】 前記トロリ本体は、一つの範囲と、騒音低減のために前記トロリ本体の前記範囲に取り付けられた騒音低減材料とを備える請求項２１記載のトロリ。
【請求項２４】 前記カムレバーは、一つの範囲と、騒音低減のために前記カムレバーの前記範囲に取り付けられた騒音低減材料とを有し、前記カムレバーの前記少なくとも一つの範囲は、他のトロリの集積カムと係合可能な一つの範囲を含む請求項２２記載のトロリ。
【請求項２５】 前記カムレバーの範囲は、前記トロリの本体と接触する一つの範囲を含む請求項２４に記載のトロリ。
【請求項２６】 前記カムレバーの範囲は、前記トロリの後退ドッグと接触する一つの範囲を含む請求項２４記載のトロリ。
【請求項２７】 前記後退ドッグは、一つの範囲と、騒音低減のために前記後退ドッグの前記範囲に取り付けられた騒音低減材料とを含む請求項２２記載のトロリ。
【請求項２８】 前記後退ドッグの前記範囲は、前記トロリの本体と接触する一つの範囲を含む請求項２７に記載のトロリ。
【請求項２９】 前記後退ドッグの前記一つの範囲は、前記トロリのカムレバーと接触する一つの範囲を含む請求項２７記載のトロリ。
【請求項３０】 前記後退ドッグの前記一つの範囲は、前記プッシャドッグと接触する一つの範囲を含む請求項２７記載のトロリ。
【請求項３１】 前記範囲は、直接接触範囲を含む請求項２１記載のトロリ。
【請求項３２】  トラックで移動するための少なくとも一つのホイールを有するトロリ本体と、  一つの範囲を有し、騒音低減のために前記範囲に騒音低減材料を取り付けられ、前記トロリ本体と協働する一つの部品とを有し、前記トロリ本体と協働する少なくとも一つの部品とを備え、前記範囲は一つの摺動接触範囲を含むトロリ。
【請求項３３】 前記範囲は、一つの非接触範囲を含む請求項２１記載のトロリ。
【請求項３４】 前記騒音低減材料の取付けは、前記騒音低減材料をコーティングするステップを含む請求項２１記載のトロリ。
【請求項３５】 前記騒音低減材料の取付けは、前記騒音低減材料をある形状に成形して、前記形状を少なくとも一つの範囲に取り付けるステップを含む請求項２１記載のトロリ。
【請求項３６】 前記少なくとも一つ非接触範囲は空洞を含み、前記非接触範囲への前記騒音低減材料の取付けは、前記空洞に前記騒音低減材料を充填するステップを含む請求項３３に記載のトロリ。
【請求項３７】 前記騒音低減材料はポリウレタンである請求項２１記載のトロリ。
【請求項３８】 前記ポリウレタン騒音低減材料は、約６０から９０の間のデュロメータを有する請求項３７記載のトロリ。
【請求項３９】 トロリ本体を含むコンベヤトロリに使用される部材であって、
一つの範囲と、騒音低減のために前記範囲に取り付けられた騒音低減材料とを含み、
前記部材はバンパーを含まないコンベヤトロリに使用される部材。
【請求項４０】 前記一つの範囲は、接触範囲を含む請求項３９に記載の部材。
【請求項４１】 前記一つの範囲は、非接触範囲を含む請求項３９記載の部材。
【請求項４２】 カムレバーをさらに含む請求項３９記載の部材。
【請求項４３】 後退ドッグをさらに含む請求項３９記載の部材。
【請求項４４】 集積カムをさらに含む請求項３９記載の部材。